【事件の表示】
　特許第２７６６８３４号「インクリボンカートリッジの補充部品収納用ケース及びその製造方法」の請求項１ないし２に係る特許に対する特許異議の申立てについて、次のとおり決定する。
【結論】
　訂正を認める。
　特許第２７６６８３４号の請求項１に係る特許を維持する。
【理由】
［手続の経緯］
　本件特許第２７６６８３４号の特許請求の範囲の請求項１，２に係る発明は、平成３年１０月２日に特許出願され、平成１０年４月１０日にその特許の設定登録がなされ、その後、その特許について田中完より特許異議の申立がなされ、当審において取消理由通知がなされたところ、その指定期間内である平成１１年７月１３日に訂正請求がなされたものである。
［訂正の適否］
　【１】訂正の内容
▲１▼訂正事項ａ
　特許請求の範囲の請求項１を「【請求項１】熱可塑性樹脂を材料として真空成形したケース本体１におけるインクリボン等補充部品の収納部２の側壁３を、その収納部２の底面４の位置における相対向する側壁間の幅よりも開口縁５の位置における相対向する側壁間の幅の方が広くなるような且つ内面側が膨出するような曲面状となしたことを特徴とするインクリボンカートリッジの補充部品収納用ケース。」と訂正する。
▲２▼訂正事項ｂ
　特許請求の範囲の【請求項２】を削除する。
▲３▼訂正事項ｃ
　特許明細書の段落【０００１】の「インクリボン等を収納するケースと、その製造方法に関する。」を「インクリボン等を収納するケースに関する。」と訂正する。
▲４▼訂正事項ｄ
　特許明細書の段落【０００３】の「支障なく移し替えできるインクリボンカートリッジの補充部品収納用ケースを提供すること、及び、」を「支障なく移し替えでき、かつ、」と訂正し、「補充部品収納用ケースの製造方法を提供することにある。」を「補充部品収納用ケースを提供することにある。」と訂正する。
▲５▼訂正事項ｅ
　特許明細書の段落【０００４】の「上記目的を達成するために、」を「上記課題を解決するために、」と訂正し、「ケース本体１に設けた」を「熱可塑性樹脂を材料として真空成形したケース本体１における」と訂正し、「広くなるような曲面状となした」を「広くなるような且つ内面側が膨出するような曲面状となした」と訂正する。
▲６▼訂正事項ｆ
　特許明細書の段落【０００５】の「また、上記目的を達成するために、本発明のインクリボンカートリッジの補充部品収納用ケースの製造方法は、」を「上記のように、本発明のインクリボンカートリッジの補充部品収納用ケースは、」と訂正し、「真空成形により成形することを特徴とするものである。」を「真空成形により成形するものである。」と訂正する。
▲７▼訂正事項ｇ
　特許明細書の段落【０００９】の「補充部品収納用ケースの製造方法は、」を「補充部品収納用ケースは、」と訂正する。
▲８▼訂正事項ｈ
　特許明細書の段落【００１１】の「側壁３は図示したように外面側が膨出するような曲面であったが、これを図３に示すように、逆に、側壁３の内面側が膨出するような曲面とすることも可能である。」を「側壁３は、図２に示すように、側壁３の内面側が膨出するような曲面である。」と訂正する。
▲９▼訂正事項ｉ
　特許明細書の段落【００１２】の「図４及び図５は」を「図３及び図４は」と訂正する。
▲１０▼訂正事項ｊ
　特許明細書の段落【００１４】の「次に本発明の製造方法は、」を「また、本発明の補充部品収納用ケースは、」と訂正し、「前記図４及び図５に示した実施例」を「前記図３及び図４に示した実施例」と訂正し、「安価な本発明の真空成形」を「安価な真空成形」と訂正する。
▲１１▼訂正事項ｋ
　特許明細書の【図面の簡単な説明】の【図３】の説明を「インクリボンの他にそれ以外の補充部品用の収納部も併設した構造の補充部品収納用ケースの斜視図である。」と訂正する。
▲１２▼訂正事項ｌ
　特許明細書の【図面の簡単な説明】の【図４】の説明を「図３のＢ−Ｂ線断面図である。」と訂正する。
▲１３▼訂正事項ｍ
　図２〜４を訂正し、図５を削除する。
　【２】訂正の目的の適否、新規事項の有無及び拡張・変更の存否
〈１〉訂正事項ａ，ｂについて
　これらの訂正は、訂正前の請求項２における「ケース本体１」についての限定事項をその削除に伴って訂正後の請求項１に加えると共に、「ケース本体１」の「側壁３」の形状を訂正前の段落【００１１】【００１２】、及び、図３〜５に記載されたものに限定するものであって、何れも明細書又は図面の記載の範囲内で行ったものである。
　従って、これらの訂正は、特許請求の範囲の減縮を目的とするものであって、上記各要件を満たすものである。
〈２〉訂正事項ｃ〜ｍについて
　これらの訂正は、上記訂正事項ａ，ｂとの整合を図るものであり、明りょうでない記載の釈明を目的とするものであって、上記各要件を満たすものである。
　【３】独立特許要件の判断と訂正の適否のまとめ
　以下に述べるように、訂正後の特許請求の範囲の請求項１に係る発明は、特許出願の際独立して特許を受けることができない発明とすることはできないことから、上記訂正は特許法第１２０条の４第２項及び同法第１２０条の４第３項で準用する同法第１２６条第２〜４項の規定に適合するので、当該訂正を認める。
［異議申立についての判断］
　【１】請求項１に係る発明
　訂正後の特許請求の範囲の請求項１に係る発明（以下「本件発明」という）は、その特許請求の範囲の請求項１に記載された事項により特定される［訂正の適否］の欄，【１】，▲１▼「訂正事項ａ」の項に記載したとおりである。
　【２】取消理由で引用した刊行物及び先願明細書
　これに対して、当審が平成１１年４月７日付けで通知した取消理由で引用した刊行物に記載された発明及び先願明細書に記載された考案は、それぞれ、次のとおりである。
▲１▼刊行物１実願昭６０−４３０２６号〔実開昭６１−１５８４５８号〕のマイクロフィルム（異議申立人が提出した甲第１号証）
　刊行物１には、「補充用インクリボン収納体」に関する発明が記載されており、
　その構成に関して「エンドレスインクリボンの一部を折り畳んだ状態で収納するものであって、底面と側面よりなり底面と対向する面が開口してなる収納本体‥‥の側面は底面との角度が鈍角となるように構成したことを特徴とする補充用インクリボン収納体。」（実用新案登録請求の範囲）、「なお、収納本体１１、蓋１２およびテープ１３はいずれも紙製よりなる。」（明細書６頁５〜６行）と記載され、
　また、その作用効果に関して「収納本体の側面は底面との成す角度が鈍角に構成されているので、折り畳まれた状態で収納されたインクリボンはその復旧力があっても側面が下方に広がった状態となっているのでリボンと収納体内面とで摩擦を生じることがないために、リボンはスムースにカートリッジに補充することが可能となる」（明細書４頁９〜１５行）と記載されており、
　これによれば、刊行物１には、「紙製の収納本体（「ケース本体１」）におけるエンドレスインクリボン（「インクリボン等補充部品」）の収納部（「収納部２」）の側面（「側壁３」）を、その収納部（「収納部２」）の底面（「底面４」）の位置における相対向する側面（「側壁３」）間の幅よりも開口縁（「開口縁５」）の位置における相対向する側面（「側壁３」）間の幅の方が広くなるようにしたことを特徴とする補充用インクリボン収納体（「インクリボンカートリッジの補充部品収納用ケース」）。」が記載されている。
　（尚、当該発明の各部材に対し、本件発明の対応する部材を括弧（「」）付きで示す。以下、刊行物２，３に記載された発明及び先願明細書に記載された考案についても同様である。）
▲２▼刊行物２・実願昭５８−１７９００号〔実開昭５９−１２４１５９号〕のマイクロフィルム（異議申立人が提出した甲第２号証）
　刊行物２には、「エンドレスインクリボン用サブカセットケース」に関する発明が記載されており、
　その構成に関して「整列状態にあるエンドレスインクリボンを内部に収納する箱状本体の底板略中央に差込孔を形成し、且つ該箱状本体の側壁を構成する側板中一方の対向する側板夫々に上記エンドレスインクリボンを引出す切欠孔を形成すると共に、箱状本体の底板とエンドレスインクリボン間に押板を介在させ、箱状本体をエンドレスインクリボン用カートリッジ内に組入れて、上記差込孔から押板を押圧することにより、エンドレスインクリボンを該カートリッジ内に装着するサブカセットケースに於いて、上記箱状本体の他方の対向する側板の内面所定個所夫々に該箱状本体の開口からのエンドレスインクリボンの脱落を防止するリブを連続して形成したことを特徴とするエンドレスインクリボン用サブカセットケース。」（実用新案登録請求の範囲）、「本考案に係るサブカセットケースも‥‥エンドレスインクリボン８を蛇行整列状態に収納する合成樹脂成形の箱状本体１を有し」（明細書４頁４〜７行）と記載され、
　また、その作用効果に関して「本考案に係るサブカセットケースを用いて収納エンドレスインクリボン８をカートリッジ１０内に装着する場合には、‥‥サブカセットケースを逆さまにしてカートリッジ１０に組入れようとしても‥‥箱状本体１内のエンドレスインクリボン８は上記リブ９・９により整列長手方向の端縁が両側から保持されているので、従来の如く自重により箱状本体１の開口１ａから脱落することが全くない。組入後は、‥‥差込孔３から押板７を押圧しながら取外ずせば‥‥エンドレスインクリボン８をカートリッジ１０内に確実に装着できる」（明細書５頁５〜１７行，第３図）と記載されており、
　これによれば、刊行物２には、「合成樹脂成形の箱状本体（「ケース本体１」）におけるエンドレスインクリボン（「インクリボン等補充部品」）の収納部（「収納部２」）の側壁（「側壁３」）を、その収納部（「収納部２」）の開口縁（「開口縁５」）の位置における側壁（「側壁３」）の内面個所夫々に該箱状本体（「ケース本体１」）の開口からのエンドレスインクリボン（「インクリボン等補充部品」）の脱落を防止するリブを連続して形成したことを特徴とするエンドレスインクリボン用サブカセットケース（「インクリボンカートリッジの補充部品収納用ケース」）。」が記載されている。
▲３▼刊行物３特開平２−４８９８１号公報
　刊行物３には、交換用インクリボンの収納用「パッケージ」に関する発明が記載されており、
　その構成に関して「パッケージ（１８）内に、インクリボン（１３）を巻回した供給スプール（１７）と、前記供給スプール（１７）から供給される前記インクリボン（１３）を巻取る巻取りスプール（１６）と、前記供給スプール（１７）と前記巻取りスプール（１６）との間に張架された前記インクリボン（１３）とを夫々支持手段（１９）に依ってインクリボンカセット（１１）内の所定のルートに対向する如く支持し」（特許請求の範囲）と記載され、
　また、その構成及び作用効果に関して「パッケージ１８の支持手段１９は、供給スプール１７及び巻取りスプール１６に嵌合して所定位置に支持する凸部１９ａと１９ｂ、及び供給スプール１７と巻取りスプール１６との間に張架されたインクリボン１３をインクリボンカセット１１の前記したルートに対向する如く所定位置に挟持する挟持部１９ｃ等から成る。又、パッケージ１８の内側寸法は、インクリボンカセット１１の外形寸法よりも若干大きめで、装填作業の際のインクリボンカセット１１の外側のガイドとなっている。このガイドに依ってインクリボンカセット１１は、パッケージ１８内のインクリボン１３に対して適正な位置に案内される。これらは、例えば塩化ビニール等のプラスチックを使用して真空成形等の方法に依って安価に一体成形される。」（公報４頁左上欄４〜２０行）と記載されており、
　これによれば、刊行物３には、「塩化ビニール等のプラスチック（「熱可塑性樹脂」）を材料として真空成形したパッケージ本体（「ケース本体１」）におけるインクリボン（「インクリボン等補充部品」）の収納部分（「収納部２」）の側壁（「側壁３」）を、装填作業の際のインクリボンカセットの外側のガイドとすることを特徴とするパッケージ（「インクリボンカートリッジの補充部品収納用ケース」）。」が記載されている。
▲４▼先願明細書：実願平３−６０８６２号〔実開平５−１３７５５号公報〕のマイクロフィルム（異議申立人が提出した甲第３号証）
　先願明細書には、「インクリボンカセット」の包装に用いる「容器」に関する考案が記載されており、
　その構成に関して「プリンター側回転軸が係合連動されるインクリボン走行用の筒状回転部材（１），（２）をカセットケース（４）に装着してあるインクリボンカセット（５）が、プラスチック製薄板を成形した容器（７）に収納され」（実用新案登録請求の範囲）、「前記インクリボンカセット５は、プラスチック製薄板としての透明のプラスチックフィルムを加熱真空成形或いは圧空成形等によって成形した透明容器７に収納され、‥‥前記透明容器７はその内周面がインクリボンカセット５の外形に略沿う形状に形成され、その周壁７ｂ部分には成形用金型から抜き出す為の抜き勾配が設けられている」（明細書段落【０００８】１０〜１７行）と記載されており、
　これによれば、先願明細書には、「プラスチック（「熱可塑性樹脂」）を材料として真空成形した透明容器本体（「ケース本体１」）におけるインクリボンカセット（「インクリボン等補充部品」）の収納部（「収納部２」）の周壁（「側壁３」）を、その収納部（「収納部２」）の底面（「底面４」）の位置における相対向する周壁（「側壁３」）間の幅よりも開口縁（「開口縁５」）の位置における相対向する周壁（「側壁３」）間の幅の方が広くなるようにしたことを特徴とする透明容器（「インクリボンカートリッジの補充部品収納用ケース」）。」が記載されている。
　【３】対比・判断
　本件発明と各刊行物に記載された発明或いは先願明細書に記載された考案とを比較すると、
　刊行物１に記載された発明は、「収納本体」（「ケース本体１」）が紙製である点、及び、「側面」（「側壁３」）が収納部（「収納部２」）の底面（「底面４」）の位置における相対向する側面（「側壁３」）間の幅よりも開口縁（「開口縁５」）の位置における相対向する側面（「側壁３」）間の幅の方が広くなるようにしたものではあるが「内面側が膨出するような曲面状となした」構成ではない点で相違し、
　また、刊行物２に記載された発明は、「箱状本体」（「ケース本体１」）が合成樹脂成形のものではあるが真空成形したものであるのか否か不明である点、及び、側壁（「側壁３」）が本件発明における「その収納部２の底面４の位置における相対向する側壁間の幅よりも開口縁５の位置における相対向する側壁間の幅の方が広くなるような且つ内面側が膨出するような曲面状となした」構成ではない点で相違し、
　また、刊行物３に記載された発明は、側壁（「側壁３」）が本件発明における「その収納部２の底面４の位置における相対向する側壁間の幅よりも開口縁５の位置における相対向する側壁間の幅の方が広くなるような且つ内面側が膨出するような曲面状となした」構成ではない点で相違し、
　更に、先願明細書に記載された考案は、「周壁」（「側壁３」）が収納部（「収納部２」）の底面（「底面４」）の位置における相対向する周壁（「側壁３」）間の幅よりも開口縁（「開口縁５」）の位置における相対向する周壁（「側壁３」）間の幅の方が広くなるようにしたものではあるが「内面側が膨出するような曲面状となした」構成ではない点で相違する。
　従って、本件発明と各刊行物に記載された発明或いは先願明細書に記載された考案とは、少なくとも、「側壁３」を「内面側が膨出するような曲面状となした」構成の点で相違することになる。
　そして、本件発明は、「その収納部２の底面４の位置における相対向する側壁間の幅よりも開口縁５の位置における相対向する側壁間の幅の方が広くなるような且つ内面側が膨出するような曲面状となした」構成の点を発明を特定する事項とするものであり、当該事項は技術的意義を具備するものであるから、本件発明が各刊行物に記載された発明、或いは、先願明細書に記載された考案であるとも、各刊行物に記載された発明及びプラスチック部材の成形方法に関する従来周知技術に基づいて当業者が容易に発明することができたものとも認めることができない。
　結局、本件発明に係る特許が、特許法第２９条第１項第３号，同法第２９条第２項，同法第２９条の２第１項の規定に違反してなされたものであるということができない。
　【４】異議申立人の主張
〈１〉異議申立人は証拠方法として、甲第１号証（実願昭６０−４３０２６号〔実開昭６１−１５８４５８号〕のマイクロフィルム・・・上記刊行物１）、甲第２号証（実願昭５８−１７９００号〔実開昭５９−１２４１５９号〕のマイクロフィルム・・・上記刊行物２）、及び、甲第３号証（実願平３−６０８６２号〔実開平５−１３７５５号公報〕のマイクロフィルム・・・上記先願明細書）を提出し、
　訂正前の請求項１に係る発明は甲第１号証に記載された発明と実質的に同一であり、或いは、同発明に基づいて当業者が容易に発明をすることができたものであるから、当該発明の特許は、特許法第２９条第２項の規定に違反してされたものであると主張し、
　また、訂正前の請求項２に係る発明は、甲第２号証に記載された発明にプラスチック成形における従来周知技術を適用することにより当業者が容易に発明をすることができたものであるから、当該発明の特許は、特許法第２９条第２項の規定に違反してされたものであると主張し、
　更に、訂正前の請求項２に係る発明は、その考案者が本件発明の発明者と同一ではなくその出願人が本件発明の出願時における出願人と同一ではない先の出願の明細書を提示する甲第３号証に記載された考案と同一であるから、当該発明の特許は、特許法第２９条の２第１項の規定に違反してされたものであると主張している。
〈２〉訂正請求により請求項１のみとなったので、当該請求項１に係る発明（「本件発明」）に関して上記各主張の内容を検討すると、
　異議申立人の提出した甲第１号証，甲第２号証及び甲第３号証は、それぞれ、当審が通知した上記取消理由で引用した刊行物１，２及び先願明細書であるから、それらの記載内容及び本件発明との対比・判断は、前記【２】「取消理由で引用した刊行物及び先願明細書」の項、及び、【３】「対比・判断」の項で述べたことと同様であるから、上記各主張は何れも採用できないものである。
［むすび］
　以上のとおりであるから、異議申立ての理由及び証拠方法によっては、本件発明の特許を取り消すことはできない。
　また、他に本件発明の特許を取り消すべき理由を発見しない。
　よって、結論のとおり決定する。
【異議決定日】
平成１１年１０月４日（１９９９．１０．４）
【訂正の要旨】
訂正の要旨
▲１▼訂正事項ａ
　特許請求の範囲の請求項１を「【請求項１】熱可塑性樹脂を材料として真空成形したケース本体１におけるインクリボン等補充部品の収納部２の側壁３を、その収納部２の底面４の位置における相対向する側壁間の幅よりも開口縁５の位置における相対向する側壁間の幅の方が広くなるような且つ内面側が膨出するような曲面状となしたことを特徴とするインクリボンカートリッジの補充部品収納用ケース。」と訂正する。
▲２▼訂正事項ｂ
　特許請求の範囲の【請求項２】を削除する。
▲３▼訂正事項ｃ
　特許明細書の段落【０００１】の「インクリボン等を収納するケースと、その製造方法に関する。」を「インクリボン等を収納するケースに関する。」と訂正する。
▲４▼訂正事項ｄ
　特許明細書の段落【０００３】の「支障なく移し替えできるインクリボンカートリッジの補充部品収納用ケースを提供すること、及び、」を「支障なく移し替えでき、かつ、」と訂正し、「補充部品収納用ケースの製造方法を提供することにある。」を「補充部品収納用ケースを提供することにある。」と訂正する。
▲５▼訂正事項ｅ
　特許明細書の段落【０００４】の「上記目的を達成するために、」を「上記課題を解決するために、」と訂正し、「ケース本体１に設けた」を「熱可塑性樹脂を材料として真空成形したケース本体１における」と訂正し、「広くなるような曲面状となした」を「広くなるような且つ内面側が膨出するような曲面状となした」と訂正する。
▲６▼訂正事項ｆ
　特許明細書の段落【０００５】の「また、上記目的を達成するために、本発明のインクリボンカートリッジの補充部品収納用ケースの製造方法は、」を「上記のように、本発明のインクリボンカートリッジの補充部品収納用ケースは、」と訂正し、「真空成形により成形することを特徴とするものである。」を「真空成形により成形するものである。」と訂正する。
▲７▼訂正事項ｇ
　特許明細書の段落【０００９】の「補充部品収納用ケースの製造方法は、」を「補充部品収納用ケースは、」と訂正する。
▲８▼訂正事項ｈ
　特許明細書の段落【００１１】の「側壁３は図示したように外面側が膨出するような曲面であったが、これを図３に示すように、逆に、側壁３の内面側が膨出するような曲面とすることも可能である。」を「側壁３は、図２に示すように、側壁３の内面側が膨出するような曲面である。」と訂正する。
▲９▼訂正事項ｉ
　特許明細書の段落【００１２】の「図４及び図５は」を「図３及び図４は」と訂正する。
▲１０▼訂正事項ｊ
　特許明細書の段落【００１４】の「次に本発明の製造方法は、」を「また、本発明の補充部品収納用ケースは、」と訂正し、「前記図４及び図５に示した実施例」を「前記図３及び図４に示した実施例」と訂正し、「安価な本発明の真空成形」を「安価な真空成形」と訂正する。
▲１１▼訂正事項ｋ
　特許明細書の【図面の簡単な説明】の【図３】の説明を「インクリボンの他にそれ以外の補充部品用の収納部も併設した構造の補充部品収納用ケースの斜視図である。」と訂正する。
▲１２▼訂正事項ｌ
　特許明細書の【図面の簡単な説明】の【図４】の説明を「図３のＢ−Ｂ線断面図である。」と訂正する。
▲１３▼訂正事項ｍ
　図２〜４を訂正し、図５を削除する。
（５４）【発明の名称】
インクリボンカートリッジの補充部品収納用
ケース
（５７）【特許請求の範囲】
　　【請求項１】　
熱可塑性樹脂を材料として真空成形した
おける
且つ内面側が膨出するような
【発明の詳細な説明】
　　　【０００１】
　　【産業上の利用分野】
　本発明は、インクリボンカートリッジの補充部品であるインクリボン等を収納する
ケースに関する
　　　【０００２】
　　【従来の技術】
　インクリボンカートリッジのインクリボンの印字濃度が低下したときは、そのインクリボンを廃棄して新しい補充用のインクリボンと交換される。この補充用のインクリボンはサブカセットと称されるケースに収納されて提供されるが、従来のこの種のケースは、普通の紙や、表面に樹脂をコーティングした紙を材料として組立てられている。このような従来のケースには次のような機能上及び製造上の問題がある。まず機能的には、インクリボンの収納部の側壁が底面に対し垂直な平面なので、インクリボンを取り出す際に、折り畳まれたインクリボンの端部が側壁に接触して引っ掛かりやすいために、折り畳み状態がくずれてインクリボンカートリッジヘの移し替えに支障をきたすことである。次に製造上の問題としては、まず素材の紙自体が高価なので全体的なコスト高となること、次にケースを組み立てる際に接着剤やステープラを使用して各面を接合する必要があるので組立工程が面倒てあること、特にインクリボンの他にインクタンク等他の補充部品の収納部も併設しようとすると形状が複雑なために組立が極めて困難になること、更に紙の折角やステープラによって包装材を傷つけるおそれがあること等の不利がある。
　　　【０００３】
　　【発明が解決しようとする課題】
　そこで本発明の目的は、折り畳まれた状態のインクリボンをくずすことなくスムースに取り出すことができてインクリボンカートリッジへ支障なく移し替えでき
、かつ、
ケース
　　　【０００４】
　　【課題を解決するための手段】
　上記
課題
解決
熱可塑性樹脂を材料として真空成形した
おける
且つ内面側が膨出するような
　　　【０００５】
　
上記のように
ケースは
ものである
　　　【０００６】
　尚、本発明で使用できる熱可塑性樹脂としては、例えばＰＰ、ＰＥ、ＰＥＴ、ＰＶＣ、ＰＴＦＥ、ＥＴＦＥ、ＰＣＴＦＥ、ＰＳ、ＰＢＲ、ＳＢ、ＰＶＤＣ、ＰＶＡ、ＰＭＭＡ、ＥＶＡ、ＳＡＮ、ＡＢＳ、ＩＯ、ＰＯＭ、ナイロン６、ナイロン６６、ＰＣ、ＰＰＯ、ＰＳＦ、ＰＩ、ＰＡＩ、ＰＰＳ等があり、これらの中から自由に選択可能である。
　　　【０００７】
　上記の熱可塑性樹脂はフィルム状にして真空成形されるが、そのときの厚さは０．０５ｍｍ〜３．０ｍｍの範囲が可能であり、より好ましいのは０．１ｍｍ〜２．０ｍｍの範囲である。
　　　【０００８】
　　【作用】
　本発明のインクリボンカートリッジの補充部品収納用ケースは、インクリボン等補充部品の収納部２の側壁３が曲面状を呈して、底面４の位置における相対向する側壁間の幅よりも開口縁５の位置における相対向する側壁間の幅の方が広いので、ケースを逆さまにすれば、インクリボンが側壁３に引っ掛かることなく、折り畳み状態を維持しながら落下するので、インクリボンカートリッジヘスムースに移し替えできる。
　　　【０００９】
　また、本発明のインクリボンカートリッジの補充部品収納用
ケース
　　　【００１０】
　　【実施例】
　図１及び図２は、インクリボン６のみを収納する補充部品収納用ケースを示したものである。このケースは、熱可塑性樹脂を材料として真空成形されたケース本体１と、このケース本体１の開口部を覆う脱着自在な蓋（図示せず）とから成り、エンドレスのインクリボン６を折り畳んだ状態で収める収納部２を囲む側壁３は曲面状を呈して、収納部２の底面４の位置における相対向する側壁間の幅よりも開口縁５の位置における相対向する側壁間の幅の方が広くなっている。尚、収納部２内の折り畳まれたインクリボン６の両端部は、側壁に設けたスリット７から外部へ出て側壁３の外面部を略半周だけ取り巻いている。
　　　【００１１】
　上記のケース本体１の側壁３は
、図２に示すように、
である
　　　【００１２】
　次に、図
３
４
　　　【００１３】
　　【発明の効果】
　本発明は叙上の通りであり、まず本発明の補充部品収納用ケースは、ケース本体１における収納部２の側壁３が曲面状を呈して、収納部２の底面４の位置における相対向する側壁間の幅よりも開口縁５の位置における相対向する側壁間の幅の方が広くなっているので、インクリボン６を収納部２から取り出す場合に、インクリボン６が側壁３に引っ掛かることなくスムーズに脱出するので、折り畳み状態を維持しながらインクリボン６を支障なくインクリボンカートリッジへ移し替えできる効果がある。
　　　【００１４】
　
また
ケース
安価な真空成形
【図面の簡単な説明】
　　【図１】
　インクリボンのみを収めるように構成された補充部品収納用ケースの斜視図である。
　　【図２】
　図１のＡ−Ａ線断面図である。
　　【図３】
　
インクリボンの他にそれ以外の補充部品用の収納部も併設した構造の補充部品収納用ケースの斜視図である
　　【図４】
　
図３のＢ−Ｂ線断面図である
　　【符号の説明】
１　ケース本体　　　　２　収納部
３　側壁　　　　　　　４　底面
５　開口縁　　　　　　６　インクリボン
７　スリット　　　　　８　インクタンク
９　転写ローラ
【図面】
【図２】
【図３】
【図４】